(57)【特許請求の範囲】
【請求項１】
映像・音声素材に対するＵＭＩＤ（Unique Material Identifier）がコンピュータに供給されたことに応じて、上記コンピュータが、このＵＭＩＤをヘッダとして、上記映像・音声素材を検索するためのメタデータを含んだ付加情報を作成する第１のステップと、
上記コンピュータが、上記付加情報をネットワークに接続されたサイトに保存するため、上記サイトに関連したアドレス情報を取得する第２のステップと、
上記コンピュータが、上記ＵＭＩＤとこのアドレス情報とを関連付けた対応表を作成する第３のステップと、
上記コンピュータが、上記サイトにアクセスして、上記付加情報を上記ＵＭＩＤと共に上記サイトに保存する第４のステップとを有する
情報検索方法。
【請求項２】
上記第３のステップでは、上記対応表を上記コンピュータ内に保存する
請求項１記載の情報検索方法。
【請求項３】
上記第３のステップでは、上記対応表をネームサーバに保存する
請求項１または２に記載の情報検索方法。
【請求項４】
上記第１のステップでは、
上記映像・音声素材のシーン毎に供給される複数の上記ＵＭＩＤに対して、シーン同士の関連性を示す情報と、各シーンの先頭フレームの静止画像とのうちの少なくとも一方をさらに含んだ上記付加情報を作成する
請求項１乃至３のいずれかに記載の情報検索方法。
【請求項５】
上記第２のステップ及び上記第３のステップでは、上記映像・音声素材のシーン毎に供給される複数の上記ＵＭＩＤに対して、複数の上記サイトに関連したアドレス情報を取得して、複数の上記ＵＭＩＤとこれらのアドレス情報とを関連付けた上記対応表を作成する
請求項１乃至４のいずれかに記載の情報検索方法。
【請求項６】
上記第４のステップの後、上記コンピュータにＵＭＩＤが供給されたことに応じて、上記コンピュータが、この供給されたＵＭＩＤと、上記第３のステップで作成した上記対応表とを照合する第５のステップと、
上記照合の結果、上記供給されたＵＭＩＤと同じＵＭＩＤが上記対応表に存在した場合に、上記コンピュータが、上記対応表においてこの同じＵＭＩＤに関連付けられた上記アドレス情報のサイトにアクセスして、上記付加情報を検索する第６のステップとをさらに有する
請求項１乃至５のいずれかに記載の情報検索方法。
【請求項７】
上記ネットワークは、専用のネットワーク若しくは、インターネットであり、インターネットを使用するときには上記サイトはＷｅｂサイトである
請求項１乃至６のいずれかに記載の情報検索方法。
【請求項８】
映像・音声素材に対するＵＭＩＤ（Unique Material Identifier）が供給されたことに応じて、このＵＭＩＤをヘッダとして、上記映像・音声素材を検索するためのメタデータを含んだ付加情報を作成する第１の処理手段と、
上記付加情報をネットワークに接続されたサイトに保存するため、上記サイトに関連したアドレス情報を取得する第２の処理手段と、
上記ＵＭＩＤとこのアドレス情報とを関連付けた対応表を作成して保存する第３の処理手段と、
上記サイトにアクセスして、上記付加情報を上記ＵＭＩＤと共に上記サイトに保存する第４の処理手段とを備えた
情報検索装置。
【請求項９】
上記第４の処理手段による処理の後、ＵＭＩＤが供給されたことに応じて、この供給されたＵＭＩＤと、上記第３の処理手段で保存した上記対応表とを照合する第５の処理手段と、
上記照合の結果、上記供給されたＵＭＩＤと同じＵＭＩＤが上記対応表に存在した場合に、上記対応表においてこの同じＵＭＩＤに関連付けられた上記アドレス情報のサイトにアクセスして、上記付加情報を検索する第６の処理手段とをさらに備えた
請求項８記載の情報検索装置。
【請求項１０】
上記ネットワークは、専用のネットワーク若しくは、インターネットであり、インターネットを使用するときには上記サイトはＷｅｂサイトである
請求項８または９に記載の情報検索装置。
【請求項１１】
上記第１の処理手段は、
上記映像・音声素材のシーン毎に供給される複数の上記ＵＭＩＤに対して、シーン同士の関連性を示す情報と、各シーンの先頭フレームの静止画像とのうちの少なくとも一方をさらに含んだ上記付加情報を作成する
請求項８乃至１０のいずれかに記載の情報検索装置。
【請求項１２】
上記第２の処理手段及び上記第３の処理手段は、上記映像・音声素材のシーン毎に供給される複数の上記ＵＭＩＤに対して、複数の上記サイトに関連したアドレス情報を取得して、複数の上記ＵＭＩＤとこれらのアドレス情報とを関連付けた上記対応表を作成して保存する
請求項８乃至１１のいずれかに記載の情報検索装置。
【発明の詳細な説明】
【０００１】
【発明の属する技術分野】
この発明は、情報検索方法および情報検索装置に関する。詳しくは、映像・音声素材に関連したユニークな情報と、ネットワークに接続されたサイトを検索するためのアクセス情報とを関連付けて、このサイトに映像・音声素材に関する付加情報と共に保存することによって、ユニークな情報を手がかりとして映像・音声素材に関連する付加情報を容易に検索できるようにしたものである。
【０００２】
【従来の技術】
ビデオカメラなどで撮像された映像信号や音声信号（以下単に映像・音声素材という）などを補足するデータとして、例えばＳＭＰＴＥ２９８Ｍ、３３５Ｍ（Society of Motion Picture and Television２９８Ｍ、３３５Ｍ）で定義されたメタデータが知られている。このメタデータは、映像音声素材に関連する様々な情報で構成されており、例えば映像音声素材タイトル、タイトルの種類、シーン番号、テイク番号、ビデオソース（ビデオカメラ）や、格納場所、サイズなど映像信号に関連する属性、内容などの各種関連情報が含まれている。蛇足ではあるが、伝送形態としてのメタデータはＳＤＩ（Serial Digital data Interface )形式のアンシラリーデータパケットＡＮＣに割り当てられたユーザデータワード（ＵＤＷ）の中に記述される。
【０００３】
上述したメタデータの中に、ＩＳＯ（International Organization for Standardization）／ＳＭＰＴＥ３３０Ｍに規格化されたＩＤ（ユニークなＩＤ情報）があり、このＩＤとしてＵＭＩＤ（Unique Material Identifier）と呼ばれる、映像・音声素材との関連性では世界中で唯一無二のＩＤが定義されている。したがって、このＵＭＩＤは映像素材毎にグローバルにユニークなＩＤとして使用できるため、映像・音声素材の検索、照合などのときの目安として極めて有用である。
【０００４】
【発明が解決しようとする課題】
ところで、ＳＭＰＴＥ３３０Ｍには上述したユニークなＩＤとしてのＵＭＩＤが規格化されてはいるものの、このＵＭＩＤには使用された映像機材固有なＩＤ情報とか、組織名などで構成された情報であるため、メタデータの一部である映像・音声素材のタイトル、出演者、映像・音声素材の撮像日時など、事後の検索に必要な情報が含まれていないばかりか、その映像・音声素材に関連したより具体的な情報は不明である。
【０００５】
これらのメタデータと重複する一部の情報と、より具体的な情報を含めて以後、映像・音声素材を補強するための映像・音声素材用の付加情報として説明すると、上述した映像・音声素材に関する具体的な情報とは、例えば撮影対象物が品物であるときには、その品物の説明、使用例などであり、人物であるときにはその人物のプロフィール、過去の活動履歴などであり、ニュース取材用であるならばそのニュース（事件）の背景（人間模様）、登場人物、過去の履歴、事件の場所などである。
【０００６】
このような付加情報があってこそ、初めてこのユニークな情報をうまく活用できることになり、特定の第三者がその付加情報を共有できることになる。しかし現在のところこのＵＭＩＤを、付加情報などの情報と関連付けてどのように利用するかと言った活用方法（情報検索方法）などについては具体的には全く提案されてはいない。
【０００７】
ＵＭＩＤはグローバルで、ユニークなＩＤであるため、このユニークなＩＤを利用して、このＩＤに関連する付加情報をどのように検索できるようにするかは極めて重要な今後の課題である。
【０００８】
そこで、この発明はこのような従来の課題を直視し、特に、映像・音声素材に関連したこのユニークなＩＤ情報と、ネットワークに接続されたサイトを検索するためのアクセス情報とを関連付けて、このサイトに映像・音声素材に関する付加情報と共に保存することによって、ユニークなＩＤ情報を手がかりとして映像・音声素材に関連する付加情報を容易に検索できるようにした情報検索方法および情報検索装置を提案するものである。
【０００９】
【課題を解決するための手段】
上述の課題を解決するため、請求項１に記載したこの発明に係る情報検索方法では、映像・音声素材に対するＵＭＩＤがコンピュータに供給されたことに応じて、上記コンピュータが、このＵＭＩＤをヘッダとして、上記映像・音声素材を検索するためのメタデータを含んだ付加情報を作成する第１のステップと、上記コンピュータが、上記付加情報をネットワークに接続されたサイトに保存するため、上記サイトに関連したアドレス情報を取得する第２のステップと、上記コンピュータが、上記ＵＭＩＤとこのアドレス情報とを関連付けた対応表を作成する第３のステップと、上記コンピュータが、上記サイトにアクセスして、上記付加情報を上記ＵＭＩＤと共に上記サイトに保存する第４のステップとを有することを特徴とする。
【００１０】
また、請求項８に記載したこの発明に係る情報検索装置では、映像・音声素材に対するＵＭＩＤが供給されたことに応じて、このＵＭＩＤをヘッダとして、上記映像・音声素材を検索するためのメタデータを含んだ付加情報を作成する第１の処理手段と、上記付加情報をネットワークに接続されたサイトに保存するため、上記サイトに関連したアドレス情報を取得する第２の処理手段と、上記ＵＭＩＤとこのアドレス情報とを関連付けた対応表を作成する第３の処理手段と、上記サイトにアクセスして、上記付加情報を上記ＵＭＩＤと共に上記サイトに保存する第４の処理手段とを備えたことを特徴とする。
【００１１】
ＵＭＩＤは使用された映像機材固有なＩＤ情報とか、組織名などで構成された情報であるため、映像・音声素材のタイトル、出演者、映像・音声素材の撮像日時など、検索に必要な情報以外に、映像・音声素材に関連する具体的な内容（検索情報を含む付加情報）が含まれていないので、この付加情報をＵＭＩＤに関連付ける。
【００１２】
付加情報は、情報量が多いため別の記憶手段に記憶させておく必要がある。記憶手段はネットワーク、例えばインターネットに接続されたＷｅｂサイトのサーバを利用する。Ｗｅｂサイトを利用するためそのＷｅｂサイト固有のファイルをアクセスするためのアドレス情報（ＵＲＬ（Uniform Resource Locator）を取得する。
【００１３】
アドレス情報は、付加情報などを作成した情報検索装置内に保存しておくか、あるいはＵＭＩＤとアドレス情報との関係をテーブル化してインターネット上に接続されたネームサーバに保存する。
【００１４】
こうすることによって、ＵＭＩＤを読み出すことでこのＵＭＩＤに関連した付加情報をＷｅｂサイトから取得することができる。付加情報の前部若しくは一部は、ＵＭＩＤを含むメタデータの一部の情報を流用することができる。
【００１５】
【発明の実施の形態】
続いて、この発明に係る情報検索方法および情報検索装置の一実施形態を図面を参照して詳細に説明する。
図１はこの発明に係る情報検索装置を含んだ情報検索ネットワーク例であって、実施の形態はＵＭＩＤ検索システム１０を構築している。ネットワークとしては専用のネットワーク回線を使用することもできれば、インターネットのような広域ネットワーク回線を使用することができる。以下に示す実施の形態はインターネットを利用した場合を説明する。
【００１６】
この実施の形態に係るＵＭＩＤ検索システム１０にあっては、ＵＭＩＤ読み取り手段１２が存在する。この読み取り手段１２としてこの実施の形態ではＶＴＲが使用されている。その記録媒体（磁気テープなど）には、映像・音声素材が記録されると共に、その一部にＵＭＩＤが記録されている。ＵＭＩＤの詳細は後述するが、このＵＭＩＤは使用された映像機材固有なＩＤ情報とか、組織名などで構成された情報であり、記録を開始してから終了するまでのシーンごとに異なった内容のＵＭＩＤが、そのシーンに対応して付与される。
【００１７】
記録媒体を再生することで、映像素材がビデオモニタ１４に映し出されると共に、音声素材がスピーカ１６より再生される。記録媒体より再生されたメタデータ（Meta Data）よりＵＭＩＤが抽出分離され、抽出分離されたＵＭＩＤがデータ処理装置である情報検索装置２０に供給される。
【００１８】
情報検索装置２０は、パソコンやワークステーションなどの周知のデータ処理用端末装置を使用することができる。この情報検索装置２０では、再生された映像・音声素材に関連したあらゆる情報が付加情報として生成される。詳細は後述するとして、映像・音声素材のタイトル、出演者、映像・音声素材の撮像日時などの検索に必要な情報と、映像・音声素材に直接関連した各種情報を付加情報として生成される。
【００１９】
メタデータと重複する一部の情報と、映像・音声素材に関するより具体的な情報を含めて以後映像・音声素材に関する付加情報と総称すると、上述した映像・音声素材に関する具体的な情報とは、例えば撮影対象物が品物であるときには、その品物の説明、使用例などであり、人物であるときにはその人物のプロフィール、過去の活動履歴などであり、ニュース取材用の事件であるならば、その事件の背景、登場人物、過去の履歴などである。
【００２０】
そしてこの付加情報をＵＭＩＤに関連付けて保存する。保存場所としては、特定の第三者ならば誰でも、何時でもアクセスが可能なインターネット２２上に接続されたＷｅｂサイト２４が利用される。Ｗｅｂサイト２４の特定のファイルサーバをこの付加情報に関連したデータファイルサーバとして用意する。用意するＷｅｂサイトは単一でも複数でもよい。
【００２１】
Ｗｅｂサイトを指定することによって、そのＷｅｂサイトをアクセスするためのアドレス情報（ＵＲＬ）を取得する。このアドレス情報はＵＭＩＤと関連付けるためにテーブル化して情報検索装置２０内に保存する。若しくはインターネット２２上に接続されたネームサーバ２６にこのテーブル情報を保存する。
【００２２】
このように情報検索装置２０内で読み取ったＵＭＩＤに関連する映像・音声素材に対する付加情報を生成し、ＵＭＩＤをヘッダとしてこの付加情報をＷｅｂサイトに保存し、ＵＭＩＤとＷｅｂサイト検索用のアドレス情報であるＵＲＬをテーブル化して情報検索装置２０内などに保存しておくと、ＵＭＩＤだけを頼りにその付加情報を簡単に検索して利用することができる。
【００２３】
したがって例えば、記録媒体をＶＴＲ１２にかけて再生したときに得られるＵＭＩＤを情報検索装置２０に導き、情報検索装置２０内のテーブルより対応するＵＲＬを取り出す。そしてこのＵＲＬが得られたときには自動的にこのＵＲＬで決まるＷｅｂサイトをアクセスすれば、ＵＭＩＤに対応した付加情報を取得できる。
【００２４】
続いて、このようなＵＭＩＤ検索システム１０の具体的な内容について図２以下を参照して詳細に説明する。
図２は映像・音声素材の記録媒体として磁気テープＴを使用したときのトラックパターンを示すフォーマット図である。回転ヘッドの進入側と退出側にそれぞれ分割されて一対のビデオトラックＴｖが分割記録され、その中央部にはオーディオトラックＴａが位置する。そして、ビデオトラックＴｖとオーディオトラックＴａとの間にシステムトラックＴｓが位置する。このシステムトラックＴｓの中に、上述したメタデータが記録され、メタデータの一部に上述したＵＭＩＤが挿入記録されている。
【００２５】
ＶＴＲ１２では、このセグメント方式によって記録された映像・音声素材を再生して映像・音声情報とその他の情報を分離し、その他の情報に含まれるＵＭＩＤが図１のデータ線（例えばＲＳ２３２Ｃケーブル）１８を介して情報検索装置２０に供給される。
【００２６】
図３〜図６はＵＭＩＤの内容を示す。ＳＭＰＴＥ３３０Ｍに定義されたＵＭＩＤは、映像・音声素材に割り当てられるグローバルにユニークなＩＤであって、ベーシックＵＭＩＤと拡張ＵＭＩＤとが定義されている。
【００２７】
図３はそのうちベーシックＵＭＩＤのデータフォーマットであって、図示するように１２バイト構成のユニバーサルラベル（Universal label）のうち第１バイトから第１０バイトまでは固定のバイト列である。ユニバーサルラベルの第１１および第１２バイトは、例えば、画像と音声が同時記録であり、元素材であるようなときには、０４h、１１hのデータとなる。
レングス（L）は１バイト構成であり、収録された映像・音声素材のビット長であり、さらに元素材の場合、３バイト構成のインスタンスナンバー（Inst.No）は、００h、００h、００hとなる。
【００２８】
次に、１６バイトで構成されるマテリアルナンバー（Material Number）は、図４に示すようにタイムスナップ（Time Snap）と乱数（Rnd）と、図５に示すマシンノード（Machine Node）で構成される。
【００２９】
タイムスナップは、フレーム（Frame）、秒（Second）、分（Minute）、時（Hour）を表す８バイトからなり、これらの各値は、例えばＶＴＲ内部のタイムコードジェネレータが発生する時計情報から生成し、例えば元素材の機材がカメラ一体型ＶＴＲを使用したものであるときには、撮像中にフレーム単位でこのタイムスナップ情報が磁気テープＴに記録される。
【００３０】
例えば西暦２００１年３月３０日である場合、その日付を表す２００１．０３．３０をユリウス日に変換し、さらにその時計の設定からタイムゾーンが例えば日本であることを知り９７hとして、タイムスナップの８バイトを揃える。
【００３１】
乱数(Rnd）は、下位バイト（lower）と上位バイト（upper)からなり、それらの値は例えばソフトウェアで自走するＭ系列発生器から取得する。乱数の値は後述するようにシーン毎に変化する。
【００３２】
さらに、マシンノードは図５に示すように６バイトで構成されている。ネットワーク上で使用されるこのマシンノードのどのバイトに何を宛うかについては、ＥＵＩ48（Extended Unique Identifier）に規定されている。６バイトのうち、最初の３バイトが組織名に与えられた固有の値であり、残り３バイトが使用機材（カメラ一体型ＶＴＲなど）に与えられた機材固有のシリアル番号である。
【００３３】
図６はＳＭＰＴＥ３３０Ｍで定義された拡張ＵＭＩＤ（Extended ＵＭＩＤ）のデータフォーマットである。この拡張ＵＭＩＤは、図３に示した３２バイトのベーシック（Basic）ＵＭＩＤに、同じく３２バイトのシグネチャーメタデータ（Signature Metadata）が付加されてトータル６４バイトで構成される。
【００３４】
シグネチャーメタデータは、図６のように８バイトのタイムデータ（Time/Data）、１２バイトのスペーシャルコーディネイト（Spatial coordinate）、４バイトのカントリー（Country）コード、４バイトのオーガニゼイション(Organization）、４バイトのユーザコード（User Code）からなる。なお、マテリアルナンバー（Material Number）は、８バイトのタイムスナップ（Time Snap）と、２バイトの乱数（Rnd）と、５バイトのマシンノード（Machine Node）で構成されている。
【００３５】
上述した実施の形態では、記録媒体そのものに映像・音声素材と共に、ユニークな情報であるＵＭＩＤが記録され、その記録媒体を再生しながらＵＭＩＤを取得する場合を示した。ＵＭＩＤの取得手段としては、この他に記録媒体を収納したカセット自体に設けられたメモリタグに記憶されているユニークな情報を利用することもできる。
【００３６】
その実施の形態を図７に示す。図７において、カセット３０より引き出された磁気テープＴは回転ドラム３２の周面に対してヘリカル状にスキャンできるように巻き付けられる。そして映像・音声用プロセッサ３４に供給された映像・音声信号が回転磁気ヘッドによって磁気テープＴに記録され、そして再生される。再生信号のうち映像・音声信号は図１に示すビデオモニタ１４とスピーカ１６にそれぞれ供給される。
【００３７】
また再生された信号からシステムデータが抽出分離され、そのうちタイムコードなどの制御信号ＣＴＬおよびメタデータより抽出されたユニークな情報であるＵＭＩＤはそれぞれシステムコントローラ３６に供給される。
【００３８】
システムコントローラ３６にはコントロールパネル３８からの動作モードを制御するための各種コントロール指示信号が供給され、これを受けて回転ドラムの回転制御系に対して、記録再生モードに対応するコントロール信号が供給される。コントロール指示情報は表示部３９上に表示される。
【００３９】
また、上述したカセット３０の筐体例えば側面３０ａに貼られたラベルに、ＩＣチップ４０と、信号の送受信などを行うコイルアンテナ４２よりなるメモリタグ４４が設けられている。ＩＣチップ４０には、例えば磁気テープＴに記録された内容のタイトルなどが手書き或いはプリント等により書き込まれるラベルのような記録保持動作が不要で書き換え可能な半導体メモリ（ＥＥＰＲＯＭなど）を有する。この他に、電源整流安定化処理、変復調処理、通信解析処理などの各処理部を含んでいる。コイルアンテナ４２は、電磁的に電源の供給及び信号の送受信を行うためもので、これらコイルアンテナ４２とＩＣチップ４０とで、非接触型のメモリタグ４４が構成される。
【００４０】
メモリタグ４４に近接した位置には、専用の書き込み読み出し装置であるリーダ・ライタ部４８が設けられている。リーダ・ライタ部４８にはコイルアンテナ４６を有し、このコイルアンテナ４６と、メモリタグ４４内のコイルアンテナ４２との間の電磁結合によりメモリタグ４４への電力供給と、電磁エネルギーの授受が行われる。
【００４１】
したがってこのリーダ・ライタ部４８には、書込コマンドとデータを受け取り、この書込コマンドに応じてＩＣチップ４０内の半導体メモリにデータを書き込む機能と、読出コマンドに応じて半導体メモリからデータを読み出し、その読み出されたデータを電磁結合により返信する機能とを少なくとも有する。
このメモリタグ４４を利用すれば、メモリタグ４４内の半導体メモリに記憶された内容を磁気テープＴを再生することなく取得でき、またデータを入力できるので便利である。
【００４２】
この実施の形態においては、このメモリタグ４４に設けられた半導体メモリに少なくとも上述したＵＭＩＤが記憶されている。必要ならＵＭＩＤを含めたメタデータを記憶することができる。メタデータの容量が大きいときには圧縮処理すればよい。
読み取ったＵＭＩＤは、システムコントローラ３６に供給され、そしてシステムコントローラ３６では受信したこのＵＭＩＤを、インタフェース部（Ｉ／Ｏ部）５０を介して情報検索装置２０に供給する。
このようにメモリタグ４４を有するカセット３０であるときには、敢えて磁気テープＴを再生してＵＭＩＤを取得する必要がないので、迅速に付加情報を生成できる。
【００４３】
図１に示す情報検索装置２０は図８のように構成することができる。
この情報検索装置２０はマイコン機能を有するものであって、ＣＰＵ６２を始めとして、各種アプリケーションソフトを実行するためのプログラムや、付加情報を付加するために必要なプログラムなどが内蔵されたメモリ手段（この例ではフロッピーディスクＦＤＤ６４やＣＤＲＯＭ６６からなる）を有する。さらに、ワーキング用のメモリ手段６８や、付加情報をＷｅｂサイト上に送り出すときに取得したアドレス情報（ＵＲＬ）とＵＭＩＤとのテーブル表をストアするメモリ手段（例えばハードディスク装置ＨＤＤ）７０を有する。
【００４４】
そのほか、端末装置として動作させるためディスプレー７２，キーボード７４などの周辺機器が設けられている。これに加えて、この発明ではＶＴＲ１２との信号授受を行うためのインタフェース部（Ｉ／Ｏ部）７６や、インターネットを利用した検索・閲覧ソフトであるＷＷＷブラウザ７８が設けられている。またインターネットとの接続を行うための回線接続用としてのインタフェース部８０が設けられている。
【００４５】
インタフェース部７６から入力したＵＭＩＤと、磁気テープＴを再生することによって取得できる各種情報から、このＵＭＩＤに付加すべき各種情報が作成される。つまり付加情報とは、上述したように映像・音声素材のタイトル、タイトルの種類、主題、副題、撮影者、撮影者の所属部署、撮影年月日、ビデオソース機材など映像・音声素材を検索するキーワードの他に、その映像・音声素材に関連したより具体的な情報を含むものである。この付加情報は特定第三者間での共有データとしても活用するため、インターネット２２上で検索できるようにする。そのために、この付加情報はＨＴＭＬ（Hiper Text Transfer Protocol）言語によって記述される。
【００４６】
このＵＭＩＤはシーン毎に異なった情報として付加されるものであるから、磁気テープＴを再生することによって、図９のようにシーン毎に異なったＵＭＩＤ（ＵＭＩＤａ、ＵＭＩＤｂ、・・・・ＵＭＩＤｎ）を取得できる。ＵＭＩＤは図５のような数値列で表されていて、そのタイムスナップの値や乱数の値の違いによって、シーンが変化したことを知ることができる。
【００４７】
相互に関連するシーンであるときには、どのシーンと関連性があるかを付加情報に追加しておくことによって、シーン相互間の検索が容易になる。さらに、各シーンの頭の１フレームあるいは数フレーム分の静止画像などを付加情報に加えて置くことによって、付加情報に基づく検索処理をスムーズに遂行できる。作成されたＵＭＩＤに対する付加情報は一時的にメモリ手段例えばメモリ手段６８や７０に保存される。
【００４８】
次に、作成したこの付加情報をインターネット２２に接続された特定のＷｅｂサイト２４に保存するため、このＷｅｂサイト２４のＵＲＬを取得する。
取得したＵＲＬとＵＭＩＤとの相互関係を示すテーブル（対応表）は例えばメモリ手段７０に保存しておく。この場合、複数のＵＭＩＤに対して単一のＷｅｂサイトを指定することもできれば、それぞれ異なったＷｅｂサイトを指定することもできる。そのうち図１０は、ＵＭＩＤａとＵＭＩＤｂに対しては同一のＵＲＬ（ＵＲＬａ）を宛い、ＵＭＩＤｎに対しては別のＵＲＬ（ＵＲＬｎ）を宛った場合である。
【００４９】
取得したＵＲＬを用いてそのＷｅｂサイトをアクセスすることで、Ｗｅｂサイト２４に用意されたファイルサーバに、その識別情報としてＵＭＩＤを使用したそのＵＭＩＤに関する付加情報を登録・保存することができる。
既に保存されているこの付加情報を情報検索装置２０を使用して検索するときには、メモリ手段７０から図１０に示す対応表を読み出してＵＲＬを指定すればよい。また、一般の情報端末装置を使用してこのＷｅｂサイトをアクセスするときには、図１０の対応表が存在しない。そのような場合を考慮して、少なくとも図１０に示すような対応表をインターネット２４に接続された別のサイト若しくは同一サイトに設けられたネームサーバ２６に登録・保存しておく。
【００５０】
一般の情報端末装置を使用してまずこのネームサーバ２６をアクセスして、図１０の情報を取得し、その後で特定のＵＲＬを指定すれば、ＵＭＩＤを知らない場合でも必要な付加情報を入手できる。このときには、付加情報に盛り込まれた静止画像情報を利用すれば目的の付加情報を容易に検索できる。
【００５１】
続いて、上述したＵＭＩＤ検索システムを用いた情報検索処理について図１１以下を参照して詳細に説明する。以下の説明では、図１に示すＶＴＲ１２と、図７に示すメモリタグ４４を有するＶＴＲの何れから、ユニークな情報であるＵＭＩＤを読み出したときでも、適用できるように記載されている。
【００５２】
図１１は付加情報の登録処理例を示すフローチャートであって、磁気テープＴを再生するか、若しくはメモリタグ４４を読み出してＵＭＩＤを取得する（ステップ９１）。次に、取得したＵＭＩＤに関する映像・音声素材に基づいて上述したような付加情報を作成する（ステップ９２）。そして、作成した付加情報を保存するためのＷｅｂサイトを決定し、そのＵＲＬを取得する（ステップ９３）。
【００５３】
次に、取得したＵＲＬとＵＭＩＤとの対応データ（図１０に示す対応表）をメモリ手段７０に保存する（ステップ９４）。そして、取得したＵＲＬのＷｅｂサイト２４にアクセスして、ＵＭＩＤに関連した付加情報をこのＵＭＩＤと共に保存する（ステップ９５）。
【００５４】
この保存処理に前後してネームサーバ２６にアクセスして、ＵＭＩＤとＵＲＬの対応表（図１０）をネームサーバ２６に保存すると共に、必要に応じてネームサーバ２６のＵＲＬ（ＩＰアドレス）をメモリ手段７０に保存する（ステップ９６，９７）。
【００５５】
図１２はＵＲＬを使用した付加情報検索例を示すフローチャートであって、磁気テープＴを再生するか、メモリタグ４４をアクセスしてシステム情報（メタデータ）を読み出す（ステップ１０１）。このシステム情報の中からＵＭＩＤを抽出分離する（ステップ１０２）。次に、装置内部にあるメモリ手段７０を読み出して図１０に示す対応表のデータとＵＭＩＤとを照合する（ステップ１０３）。
【００５６】
システム情報から抽出したＵＭＩＤと、同じＵＭＩＤが読み出した対応表に存在しているときには、ＷＷＷブラウザ７８を起動して、検出したＵＲＬのＷｅｂサイトに自動的にアクセスする（ステップ１０４）。
この自動アクセスによってＷｅｂサイトの対応するページを開くことができるので、その内容を閲覧できる。そして特定のＵＲＬに関連した付加情報を読み出すことで、その内容を閲覧し、検索できる（ステップ１０５）。
【００５７】
もしこの付加情報にリンクする他のＷｅｂサイトが存在するときには、そのＷｅｂサイトに保存された同一ＵＭＩＤに関する付加情報か、若しくはこのＵＭＩＤに関連する付加情報をも同時に閲覧できることになる。閲覧した付加情報に基づいて加工したり、付加したりする所定の編集作業を実行する（ステップ１０６）。
【００５８】
図１３はネームサーバ２６を利用して特定のＵＭＩＤに関する付加情報を閲覧する場合の一例を示すフローチャートである。したがってその前提としてインターネットに接続しようとしている情報端末装置には図１０のような対応表が保存されていないときである。
【００５９】
まず、磁気テープＴを再生するか、メモリタグ４４をアクセスしてシステム情報（メタデータ）を読み出す（ステップ１１１）。このシステム情報の中からＵＭＩＤを抽出分離する（ステップ１１２）。次に、情報端末装置内に登録されているＩＰアドレスを使用してネームサーバ２６にアクセスする。そして図１０に示す対応表をダウンロードする（ステップ１１３）。
【００６０】
次にステップ１１２で取得したＵＭＩＤと、ダウンロードした対応表との照合を行い、読み出したＵＭＩＤに対応したＵＲＬの存在を確認する（ステップ１１３）。システム情報から抽出したＵＭＩＤと、同じＵＭＩＤがダウンロードした対応表に存在しているときには、ＷＷＷブラウザ７８を起動して、確認されたＵＲＬのＷｅｂサイトに自動的にアクセスする（ステップ１１５）。
【００６１】
この自動アクセスによってＷｅｂサイトの対応するページを開くことができるので、その内容を閲覧できる。そして特定のＵＲＬに関連した付加情報を読み出すことで、その内容を検索したり、加工して再編集したりすることができる（ステップ１１６）。
【００６２】
もしこの付加情報にリンクする他のＷｅｂサイトが存在するときには、そのＷｅｂサイトに保存された同一ＵＭＩＤに関する付加情報か、若しくはこのＵＭＩＤに関連する付加情報をも同時に閲覧できることになる。閲覧した付加情報に基づいて加工したり、付加したりする所定の編集作業を実行する（ステップ１１７）。
【００６３】
上述した実施の形態では、ユニークな情報としてのＵＭＩＤに関する付加情報はＨＴＭＬ形式で記述されているため、単なるデータでも、静止画像のような画像情報でも、テキストデータでも自由に情報検索装置２０に表示することができる。もちろん、情報検索装置２０とＷｅｂサイトとの間ではインタラクティブな情報の交換が可能である。
また、Ｗｅｂサイトを利用するとき、市販の閲覧ソフトを利用できるから、検索システムを構築する場合でも安価である。
【００６４】
ＵＭＩＤは世界中で唯一無二のユニークな情報であるから、ＵＭＩＤには重複したデータがない。そのため、ＵＭＩＤとＵＲＬとは一元管理が可能で、この付加情報が特定の第三者に解放されているときには、インターネット２２に接続される全ての端末装置からこのＷｅｂサイトをアクセスすることができるため、特定の第三者は世界中のどこからでもこのＷｅｂサイトをアクセスして、ある特定のデータに関連する映像・音声素材を検索できる。換言すれば、特定の第三者の全てが１個の付加情報や映像・音声素材情報を共同利用できるため、映像・音声素材の有効活用を実現できる。
【００６５】
ネットワークとしては、広域ネットワーク回線であるインターネットを使用した場合を例示したが、専用のネットワーク回線を利用して検索システムを構築する場合でも、この発明を適用できることは明らかである。
【００６６】
【発明の効果】
以上説明したようにこの発明に係る情報検索方法および情報検索装置では、ＵＭＩＤと、ネットワークに接続されたサイトを検索するためのアクセス情報とを関連付けるようにしたものである。
【００６７】
こうすれば、このサイトに映像・音声素材に関する付加情報と共にＵＭＩＤが保存されているので、ＵＭＩＤを手がかりとして映像・音声素材に関連する付加情報を容易に検索し、またこの付加情報から映像・音声素材に関連するより具体的な情報を取得できるので、映像・音声素材のさらなる有効活用を期待できる。映像・音声素材に記録されたＵＭＩＤを有効に活用するための一助となる特徴を有する。したがってこの発明はＵＭＩＤを利用した情報検索システムなどに適用して極めて好適である。
【図面の簡単な説明】
【図１】この発明に係る情報検索装置および情報検索方法を適用したＵＭＩＤ検索システムの実施の形態を示す要部のシステム図である。
【図２】磁気テープへの記録フォーマット例を示す図である。
【図３】ベーシックＵＭＩＤのデータフォーマットの図である。
【図４】マテリアル番号の詳細を示すデータフォーマットの図である。
【図５】マシンノードを含めたマテリアル番号の詳細を示すデータフォーマットの図である。
【図６】拡張ＵＭＩＤのデータフォーマットの図である。
【図７】メモリタグを有するカセットを使用したときのＵＭＩＤ検索システムの図である。
【図８】この発明に係る情報検索装置の実施の形態を示す要部の系統図である。
【図９】ＵＭＩＤと付加情報と取得したＵＲＬの関係を示す図である。
【図１０】ＵＭＩＤと取得したＵＲＬの対応表である。
【図１１】付加情報の登録処理例を示すフローチャートである。
【図１２】ＵＲＬを用いた付加情報検索例を示すフローチャートである。
【図１３】ネームサーバを使用した付加情報検索例を示すフローチャートである。
【符号の説明】
１０・・・ＵＭＩＤ検索システム、１２・・・ＶＴＲ、１８・・・ケーブル線、２０・・・情報検索装置、２２・・・インターネット、２４・・・Ｗｅｂサイト、２６・・・ネームサーバ、４４・・・メモリタグ
【図１】
0004752123.tif 000002
【図２】
0004752123.tif 000003
【図３】
0004752123.tif 000004
【図４】
0004752123.tif 000005
【図５】
0004752123.tif 000006
【図６】
0004752123.tif 000007
【図７】
0004752123.tif 000008
【図８】
0004752123.tif 000009
【図９】
0004752123.tif 000010
【図１０】
0004752123.tif 000011
【図１１】
0004752123.tif 000012
【図１２】
0004752123.tif 000013
【図１３】
0004752123.tif 000014